(57)【要約】      （修正有）【課題】複数のワイヤロープ等の紐状体を１台のウインチで移動することで装置を簡素化し、紐状体の調整が容易で、安全性に富んだウインチ及びウインチを用いた移動システムを得る。【解決手段】紐状体７を外周に形成された溝に巻回する巻回ドラムと、巻回ドラムを正／逆回転駆動する駆動軸１２とから構成され、一方より紐状体７を取り込むとともに、他方より紐状体７を取り出し移動する無端状のウインチ１において、駆動軸１２には、１以上の巻回ドラムが設けられ、巻回ドラムの径が同一又は相違する。巻回ドラムを正／逆回転することで紐状体７を一方より巻回ドラム側に取り込み移動し、他方より取り出し移動する無端状のウインチ１を用いて、駆動軸１２に設けられた同一又は相違する径の１以上の巻回ドラムを同時に回転駆動することにより複数の紐状体７を同時に同方向又は相違する方向に移動して、ネット等の吊張体を左右／昇降移動する。【選択図】図１
2008280176.tif 000002
【特許請求の範囲】
【請求項１】
ワイヤロープ等の紐状体を外周に形成された溝に巻回するための巻回ドラムと、巻回ドラムを正／逆回転駆動するための駆動軸とから構成され、巻回ドラムを回転駆動することでワイヤロープ等の紐状体を一方より取り込み移動するととともに他方より取り出し移動する無端状のウインチにおいて、駆動軸には、少なくとも１以上の巻回ドラムが設けられ、且つ巻回ドラムの径がそれぞれ同一又は相違していることを特徴とするウインチ。
【請求項２】
ワイヤロープ等の紐状体を外周に形成された溝に巻回するための巻回ドラムと、巻回ドラムを正／逆回転駆動するための駆動軸とから構成され、巻回ドラムを回転駆動することでワイヤロープ等の紐状体を一方より取り込み移動するととともに他方より取り出し移動する無端状のウインチにおいて、駆動軸がウインチ本体に少なくとも１以上設けられていることを特徴とするウインチ。
【請求項３】
駆動軸を用いて巻回ドラムを正／逆回転駆動することでワイヤロープ等の紐状体を一方より巻回ドラム側に取り込み移動するとともに、他方より取り出し移動する無端状のウインチを用いた移動システムにおいて、駆動軸に設けられた同一又は相違する径の少なくとも１以上の巻回ドラムをそれぞれ同時に回転駆動することにより制御した複数のワイヤロープ等の紐状体を同時に同方向又は相違する方向に移動して、ネット等の吊張体を左右／昇降移動することを特徴とするウインチを用いた移動システム。
【発明の詳細な説明】
【技術分野】
【０００１】本発明は、同時に複数のワイヤロープ等の紐状体を無端状に移動することのできるウインチ及び該ウインチを用いた移動システムに関する。
【背景技術】
【０００２】例えば、屋内外の各種の施設で無端状のウインチを使用する装置としては、防球用や間仕切り用として使用するネットを吊り張りする第１のワイヤロープと、該ネットの上部側一端側をリング等の連結具を介して連結し無端状に吊り張りされたワイヤロープと、該ワイヤロープを駆動するウインチとから構成され、ウインチを駆動することで、前記ネットを第１のワイヤロープに沿って左右へ開閉移動したり、又はワイヤロープを天井側で無端状に吊り張り、該ワイヤロープにネットを連結した吊り下げワイヤーを取り付けることでネットを昇降移動したり、又はこれらの組み合わせで屋内外で防球用や間仕切り用ネットに使用する装置がある。【０００３】また、近年においては、屋内では大空間部を有する多目的の室内球技場が多数建設され、防球用や間仕切り用として使用するネットもその面積が大きくなり、また複数のネットを組み合わせて使用する方式が採用されている。また、屋外では、レジャー施設の大型のプールの上方全体に紫外線をカットするためのＵＶシートが複数に分割した状態で設けられたり、又は高層建築等の建設現場や高速道路における防雨用防霧用や防雪用のネットやシートが、複数に分割した状態で全体の大きな面積を被覆する方式が採用されている。【０００４】上記屋内の場合は、使用目的に応じて防球用ネットの設置の数や間仕切り位置を変更する必要があり、それぞれのネットに設けられた複数のワイヤロープを別々のウインチで可動してその収納／移動することで位置の変更等を行い、また屋外の場合においては、自然の影響、特に風の影響を受けやすく、風の強い日には各ウインチを同期して駆動して複数のワイヤロープを移動することでネット等を速やかに収納していた。【０００５】上記目的で使用される無端状のウインチとしては、特開２０００−３５１５８０号公報に開示されたウインチが一般的に使用されている。
このウインチは、全体が矩形状のウインチ本体と、ウインチ本体に駆動軸を介して取り付けられたモーターよりなる駆動部（電動式の場合）とから構成され、前記駆動軸にはワイヤロープを外周に形成された溝に巻回して移動する巻回ドラムが取り付けられ、巻回ドラムの外周にはワイヤロープが巻回されている範囲に沿ってワイヤローブを溝側へ押圧して移動するローラーチエーンが設けられ、該ローラーチエーンの両端側はウインチ本体に設けられた弾性体により張設されている。【０００６】上記従来のウインチは上記構成により、常に巻回ドラムの回転方向にローラーチエーンが引っ張られた状態となり、ワイヤロープの巻回ドラムへの取り込み側が押圧されワイヤロープの巻回ドラムよりの取り出し側がフリー状態となるために、ワイヤロープ移動中の力をロスなく、適切に移動することができる。このために、上記各施設等においては、複数のウインチを制御盤を介して同期させて大面積のネットや複数のネットを移動していた。
【発明が解決しようとする課題】
【０００７】しかしながら、上記従来より使用されているウインチは、１つの巻回ドラムで１本のワイヤロープを移動しているために、複数のネットを使用し各ネットをワイヤロープで移動する近年に屋内外の装置においては、複数台のウインチを設置しなければネット全体を適切に移動することができず、設置するウインチの台数に多くのコストがかかるという欠点があった。
【０００８】また、ワイヤロープは同一方向を基準とし、リミッターを用いて同期して移動しているために、複数台のウインチを正確に同期して移動する作業は煩雑である。特に、大空間部を有する屋内でネットの場合において、ウインチが多いのでワイヤロープの移動がスムーズに行えず、また使用頻度によるワイヤロープの伸びに対して正確に同期する調整が煩雑であった。
【０００９】さらに、ワイヤロープの吊り張りにおいては、ネットの上端側にワイヤロープを位置させて移動するために、ウインチが多いと天井側にその重量かかかり危険という欠点があった。
【００１０】そこで、本発明は、複数のワイヤロープ等の紐状体を１台のウインチで移動することで装置全体を簡素化し、各ワイヤロープ等の紐状体の調整が容易に行え、安全性にとんだウインチ及び該ウインチを用いた移動システムを提供することを課題とする。
【課題を解決するための手段】
【００１１】本発明は上記課題を解決するためのウインチの第１の手段は、ワイヤロープ等の紐状体を外周に形成された溝に巻回するための巻回ドラムと、巻回ドラムを正／逆回転駆動する駆動軸とから構成され、一方よりワイヤロープ等の紐状体を取り込むとともに、他方よりワイヤロープ等の紐状体を取り出し移動する無端状のウインチにおいて、前記駆動軸には、少なくとも１以上の巻回ドラムが設けられ、且つ巻回ドラムの径がそれぞれ同一又は相違していることを特徴とする。
【００１２】また、本発明のウインチの第２の手段は、ワイヤロープ等の紐状体を外周に形成された溝に巻回するための巻回ドラムと、巻回ドラムを正／逆回転駆動すべく駆動源に連結された駆動軸とから構成され、一方よりワイヤロープ等の紐状体を取り込むとともに、他方よりワイヤロープ等の紐状体を取り出し移動する無端状のウインチにおいて、前記駆動軸がウインチ本体に、少なくとも１以上設けられていることを特徴とする。
【００１３】本発明は上記課題を解決するためのウインチを用いた移動システムは、駆動軸を用いて巻回ドラムを正／逆回転駆動することでワイヤロープ等の紐状体を一方より巻回ドラム側に取り込み移動するとともに、他方より取り出し移動する無端状のウインチを用いた移動システムにおいて、駆動軸に設けられた同一又は相違する径の少なくとも１以上の巻回ドラムをそれぞれ同時に回転駆動することにより制御した複数のワイヤロープ等の紐状体を同時に同方向又は相違する方向に移動して、ネット等の吊張体を左右／昇降移動することを特徴とする。
【発明の作用・効果】
【００１４】本発明の第１の手段によるウインチは、先ず、ワイヤロープ等の紐状体を巻回ドラムに接する位置に移動し、駆動源により駆動軸を回転駆動することで巻回ドラムを回転して、巻回ドラムの一方より外周に形成された溝に沿ってワイヤロープ等の紐状体を巻回し巻回ドラムの他方より取り出しすることで無端状に移動する。
【００１５】そして、ウインチの駆動軸には少なくとも１以上の巻回ドラムが設けられているために、１つの駆動軸を回転駆動することで各巻回ドラムが上記のように回転駆動し、それぞれの巻回ドラムに設けられたワイヤロープ等の紐状体を同時に一方側より他方側に移動することができる。
【００１６】上記駆動軸を駆動する際、設けられている各巻回ドラムの大きさ（径）が同一の場合は、各巻回ドラムに巻回されたワイヤロープ等の紐状体を同じ距離のみ移動することができる。また、各巻回ドラムの大きさ（径）が相違する場合は、移動距離応じた巻回ドラムを選択することで、それぞれ相違する距離ほどワイヤロープ等の紐状体を移動することができる。
【００１７】しかも、各ワイヤロープ等の紐状体の移動方向を自在に変更できるために、あらゆる施設や装置を利用しての間仕切り用、防球用として自在に対応することができる。
【００１８】しかも、巻回ドラムを自在に取り替えることで、メンテナンスにおいても格段にその作用が容易である。
【００１９】また、本発明の第２の手段によるウインチは、ウインチ本体に複数の駆動軸を設け、各駆動軸にそれぞれ巻回ドラムを取り付けることで、ワイヤロープ等の紐状体をそれぞれの巻回ドラムに巻回した後、各駆動軸を駆動することで１台のウインチで複数の巻回ドラムをそれぞれ回転して、各ワイヤロープ等の紐状体を移動するができる。
【００２０】また、１本のワイヤロープ等の紐状体を上記各巻回ドラムに連続して巻回することで、巻回ドラムを同期して回転しさらに強い力でワイヤロープ等の紐状体を移動することができる。
【００２１】このため、例えば、各ワイヤロープ等の紐状体に弛み／撓みが発生しても巻回ドラムへの取り込み移動を行うことができ、従来のように巻回ドラムが空回りすることなく確実に移動することができ、ワイヤロープ等の紐状体の磨耗を極力抑えることができる。
【００２２】また、ワイヤロープ等の紐状体の移動方向が相違する場合においても、１本の駆動軸に複数の巻回ドラムを設ける構成又は１台のウインチに複数の駆動軸と巻回ドラムを設ける構成により、それぞれの巻回ドラムに相違する方向よりワイヤロープ等の紐状体を取り入れ及び取り出しすることができる。
【００２３】このように、本発明のウインチは、１台で同時に複数のワイヤロープ等の紐状体を移動することができるので、設置するウインチの台数を少なくしコストの低減を可能とする。
【００２４】従って、簡易な構成で複数のワイヤロープ等の紐状体を移動することができ、また、巻回ドラムが駆動軸に着脱可能なので適切な大きさ（径）の巻回ドラムを装着して対応することができるので、あらゆる種類の施設や装置に、設置して使用することができる。
【００２５】しかも、メンテナンスの面においても、巻回ドラムを１つづつ取り外して行えるので、メンテナンスの必要な巻回ドラムだけをメンテすることも可能で、従来にない、容易でスムーズな対応ができる。
【００２６】また、各巻回ドラムへのワイヤロープ等の紐状体の取り入れ側と取り出し側とが相違する場合であっても、それぞれ各巻回ドラムに巻回して自在に移動することができる。
【００２７】また、駆動軸に設けられた同一又は相違する径の少なくとも１以上の巻回ドラムをそれぞれ同時に回転駆動することにより制御した複数のワイヤロープ等の紐状体を同時に同方向又は相違する方向に移動して、ネット等の吊張体を左右／昇降移動することを特徴とする。
【発明を実施するための最良の形態】
【００２８】以下、本発明のウインチ及び該ウインチを用いた移動システムの一実施例について下記のような各図面を用いて説明する。【００２９】図１乃至図５はウインチの駆動軸に複数の巻回ドラムが設けられた構成であり、図６乃至図１０はウインチに複数の駆動軸が設けられた構成を示す図面であり、図１１及び図１３は巻回ドラムに移動補助手段が設けられた構成を示す図面であり、図１４及び図１８は駆動軸に同一径の巻回ドラムが設けられ、同時に巻回ドラムを駆動する構成を示す図面であり、図１９はウインチ本体部分の首振りを示す構成であり、図２０及び２３はウインチを用いた移動システムを示し、図２４は巻き取りリールの設けられたウインチを示し、図２５及び図２６はウインチを用いた移動システムのフローチャートを示す。【００３０】図１は本発明の基本となるウインチで駆動軸に２個の同一径の巻回ドラムが設けられ、同一方向にワイヤロープ等の紐状体を移動する場合を示す概略説明図であり、図２は図１のウインチに押圧移動体を設けられた場合の概略正面図であり、図３は駆動軸に２個の同一径の巻回ドラムが設けられ、逆方向にワイヤロープ等の紐状体を移動する場合を示す概略説明図であり、図４はウインチで駆動軸に３個の径の相違する巻回ドラムが設けられた場合を示す概略説明図であり、図５は図４の各巻回ドラムにそれぞれ相違する方向にワイヤロープ等の紐状体を移動する場合を示す概略説明図である。【００３１】図６はウインチ本体に駆動軸が２本設けられ、径の同一の巻回ドラムが設けられ、それぞれの巻回ドラムでワイヤロープ等の紐状体を移動する場合を示す概略説明図であり、図７はウインチ本体に駆動軸が２本設けられ、径の相違する巻回ドラムが設けられ、それぞれの巻回ドラムでワイヤロープ等の紐状体を移動する場合を示す概略説明図であり、図８はウインチ本体に駆動軸が２本設けられ、径の同一の巻回ドラムに１本のワイヤロープ等の紐状体を巻回移動する場合を示す概略説明図であり、図９はウインチ本体に駆動軸が３本設けられ、径の同一の巻回ドラムで１本のワイヤロープ等の紐状体を移動する場合を示す概略説明図であり、図１０はウインチ本体に駆動軸が２本設けられ、筒状で径の同一の巻回ドラムを取り付け、取り入れと取り出し方向の相違する１本のワイヤロープ等の紐状体を移動する場合を示す概略説明図である。【００３１】図１１は巻回ドラムの外周の一部に中央部分を軸支した移動補助手段としての移動体が設けられた場合を示す概略説明図であり、図１２、図１３は図１１の移動体の他実施例を示す概略説明図である。【００３２】図１４は駆動軸に一対の径の同一する巻回ドラムが設けられた場合を示す概略側面説明図であり、図１５は図１４の駆動軸に一対の径の同一する巻回ドラムが設けられた場合を示す概略正面説明図であり、図１６は駆動軸に２対の径の同一する巻回ドラムが設けられた場合を示す概略側面説明図であり、図１７は図１６の駆動軸に２対の径の同一する巻回ドラムが設けられた場合を示す概略正面説明図であり、図１８は駆動軸に２個のキャプスタン式のドラムが設けられた場合を示す概略側面説明図であり、図１９は回動体に設けられたウインチ本体を示す概略平面説明図である。【００３３】図２０はワイヤロープ等の紐状体を同一方向に移動するウインチを用いた移動システムを示す概略説明図であり、図２１はワイヤロープ等の紐状体を別方向に移動するウインチを用いた移動システムを示す概略説明図であり、図２２は１本のワイヤロープ等の紐状体を複数ウインチで移動するウインチを用い移動システムを示す概略説明図であり、図２３は他のウインチと本発明のウインチとの組合せた移動システムを示す概略説明図であり、図２４は巻き取りリールを利用した場合のウインチの使用方法を示す概略説明図であり、図２５、図２６は、ウインチを用い移動システムを示すフローチャートを示す。【００３４】本発明のウインチ１は、略矩形箱状のウインチ本体１Ａと、該ウインチ本体１Ａに回転自在に設けられた駆動軸１２と、該駆動軸１２に設けられ外周側面に断面略Ｖ字状の溝２Ａが形成された略円形状の２個の同一径の巻回ドラム２（２Ｋ、２Ｍ）と、各巻回ドラム２に巻回された紐状体７（ワイヤロープ／通常の強化ロープ／外周にビニールの設けられた線状体等）とから構成されている。【００３５】前記紐状体７は、それぞれ同一方向より案内ローラ３（又は案内ローラ３と案内ガイド４と）を介して取り入れられ、取り入れと同一方向に案内ローラ３（又は案内ローラ３と案内ガイド４と）を介して取り出されるように各巻回ドラム２（２Ｋ、２Ｍ）に巻回されている。【００３６】前記駆動軸１２は、回転駆動（主導駆動又はアシスト電源で回転駆動する構成等その駆動手段は目的に応じて自在に選択することができる）する駆動源に連結されている。【００３７】本発明のウインチ１はウインチ本体１Ａ部分についての特徴を明記したもので、駆動源（特に巻回ドラム２の回転駆動が電動等の場合）については通常使用されている各種の駆動源（ブレーキ機構、或いはクラッチ機構、補助ブレーキ等）を使用する。【００３８】本発明のウインチ１の基本構成は上記より構成されている。次に上記基本構成のウインチ１を使用して紐状体７を移動する場合について説明する。【００３９】先ず、同一方向に吊り張りする２本の紐状体７をそれぞれ案内ローラ３を介して巻回ドラム２側に取り入れ、その後駆動軸１２を回転駆動することによりそれぞれの巻回ドラム２（２Ｋ、２Ｍ）の溝２Ａに沿って紐状体７を巻回し、取り入れ方向と同一の方向に２本の紐状体７を取り出し移動する。【００４０】この際、２本の紐状体７が巻回された巻回ドラム２（２Ｋ、２Ｍ）は同一の駆動軸１２に設けられているために、２本の紐状体７を同期して同一距離移動することができる。【００４１】また、紐状体７を案内ガイド４と案内ローラ３とによって取り入れ及び取り出しすることで、紐状体７の巻回ドラム２側への取り入れ移動及び巻回ドラム２側よりの取り出し移動をよりスムーズに移動することができる。【００４２】尚、上記実施例では、２本の紐状体７の移動方向が同一方向として説明したが、本発明において２本の紐状体７の移動方向が相違する場合であっても案内ガイド４と案内ローラ３との取り付け位置を変更（それぞれ紐状体７の取り入れ方向及び取り出し方向に取り付ける）することで紐状体７の取り出し方向を変更して２本の紐状体７を同期して同一移動することも可能である。【００４３】例えば、２枚のネット体を移動する場合について説明する。先ず、各巻回ドラム２（２Ｋ、２Ｍ）より逆方向に紐状体７を滑車を介して移動し、それぞれの紐状体７にネット体を取り付け、各巻回ドラム２（２Ｋ、２Ｍ）を同期して移動することで、それぞれのネット体を１台のウインチ１で移動することができる。【００４４】また、上記実施例では、案内ガイド４と案内ローラ３とで紐状体７の弛み／撓みを解消したが、案内ガイド４と案内ローラ３とでは紐状体７の弛み／撓みを解消できない場合は、巻回ドラム２への紐状体７の取り込み側／紐状体７の取り出し側にそれぞれ移動補助体６を設けることも可能である。この場合において、紐状体７のウインチ１への取り込み側は、移動補助体６が紐状体７の移動方向（巻回ドラム２に近接する方向）に沿って回転／揺動しながら、例えばスライド溝を移動して該紐状体７を巻回ドラム２の溝２Ａ側に断続的に押圧することを繰り返すこととなり、紐状体７は巻回ドラム２の溝２Ａにスムーズに取り込まれる。そして、巻回ドラム２に回転に沿って移動した後、紐状体７の取り出し側では、移動補助体６が紐状体７の移動方向（巻回ドラム２に離反する方向）に沿って回転／揺動しながら上記取り入れ側とは逆方向（巻回ドラム２より離反する方向）にスライド溝等に沿って移動し紐状体７より離反してフリーの位置となり、紐状体７は巻回ドラム２の溝２Ａ側に押圧されることなくスムーズに取り出されることとなる。【００４５】尚、移動補助体６は、少なくとも巻回ドラム２への紐状体７の取り込み側のウインチ本体１Ａにのみ取り付ければいいので、その取り付けが容易であり、巻回ドラム２毎に紐状体７の取り込み方向及び取り出し方向を自在に変更することができ、紐状体７への負荷にかかわらず紐状体７を巻回ドラム２の溝２Ａ側に押圧して移動することができる。【００４６】更に、紐状体７の弛み／撓みを解消するために、巻回ドラム２（２Ｋ、２Ｍ）の外周にローラーチェーン等より構成される押圧移動体８を設けることで、確実に紐状体７の弛み／撓みを解消することも可能である。この場合は、押圧移動体８が紐状体７を巻回ドラム２の溝２Ａ側に押圧しながら巻回ドラム２の回転駆動方向に移動しているために、紐状体７のスムーズな取り入れ及び取り出しすることができる。【００４７】この場合も、押圧移動体８が巻回ドラム２の外周にわたって設けられ、また、押圧移動体８の両端側に弾性体を設けることで、巻回ドラム２の正／逆回転に対応して紐状体７が押圧移動体８に押圧されながら押圧移動体８の移動に伴って移動し、一方の取り込み側より取り込まれるとともに他方の取り出し側より取り出されることとなる。【００４８】更に、上記実施例においては、駆動軸１２に巻回ドラム２（２Ｋ、２Ｍ）を２個取り付けたが、本発明において巻回ドラム２の数はこれに限定されるものでなく、３個でも、４個でも可能である。要は、紐状体７の数に応じて巻回ドラム２を複数個設ければよい。【００４９】また、上記実施例では駆動軸１２に径の同一の巻回ドラム２を設けることで紐状体７の移動距離を同一としたが、径の相違する巻回ドラム２を設けることで、その移動距離を調整することも可能である。例えば、駆動軸１２に径の相違する３個の巻回ドラム２（２Ｐ、２Ｑ、２Ｒ）を設け各巻回ドラム２（２Ｐ、２Ｑ、２Ｒ）にそれぞれ別の紐状体７を巻回することで、駆動軸１２を回転駆動すると各巻回ドラム２の径に応じてそれぞれ相違する移動距離で移動することができる。【００５０】この場合においても、紐状体７の取り入れ及び取り出し方向をそれぞれ相違する方向として移動することで、例えば、屋内空間部を１台のウインチ１で複数に間仕切り（それぞれガイドワイヤー２０にネット２１を設け、それぞれの巻回ドラム２（２Ｐ、２Ｑ、２Ｒ）に設けられた紐状体７を巻回移動して間仕切り）することができる。【００５１】このように、ウインチ１の駆動軸１２に少なくとも２以上で、且つ径の同一又は相違する巻回ドラム２を設けることで、１台のウインチ１で複数の紐状体７を同期して自在に移動することができ、またそれぞれの移動距離が相違する場合も移動することができる。【００５２】また、それぞれの紐状体７の移動方向が相違する場合においても、１台のウインチ１で自在に移動することができる。【００５３】また、紐状体７のウインチ１への取り入れ側及び取り出し側に移動補助体６を設けることで、また、巻回ドラム２の外周に押圧移動体８を設けることで、紐状体７の弛み／撓みについても対応することができ、巻回ドラム２の回転を確実に紐状体７に伝えることが可能となる。【００５４】また、上記実施例に於ける他の使用方法として、例えば、ウインチ１の駆動軸１２に一対の同一径の巻回ドラム２を設け、同時に巻回ドラム２を回転駆動することで、それぞれの巻回ドラム２に巻回された紐状体７を移動し紐状体７の先端に設けられた（２本の紐状体７で１つの連結具１５を移動するように取り付ける）連結具１５を用いてネット等を移動することも可能である。この際少なくとも各巻回ドラム２への紐状体７の取り入れ側を移動補助体６で巻回ドラム２側へ押圧する又は各巻回ドラム２の外周溝部分に形成された溝２Ａ側に押圧移動体８で押圧することで、紐状体７の弛み／撓みを解消して、２本の紐状体７を同期して適切に移動することができる。また、１つの駆動軸１２に２対の同一径の巻回ドラム２を設け、上記と同様に２本の紐状体７で１つの連結具１５を移動すべくそれぞれの対の巻回ドラム２に取り付け、それぞれ別方向に位置する連結具１５を２本の紐状体７で移動すべく構成することも可能である。【００５５】さらに、別の方法として駆動軸１２にキャプスタン式ドラム１６を２個設けることにより、２本の紐状体７をそれぞれキャプスタン式ドラム１６に巻回し、近接位置に設けられた案内ローラー３を利用して取り出し移動することができる。この場合において、キャプスタン式ドラム１６を使用しているために紐状体７の長さ調整が容易であり、且つ移動補助体６又は押圧移動体８を設けることで上記と同様に紐状体７の弛み／撓みを解消することができる。【００５６】各巻回ドラム２の外周溝部分に形成された溝２Ａ側に押圧することで、紐状体７の弛み／撓みを解消して、２本の紐状体７を同期して適切に移動することができる。また、１つの駆動軸１２に２対の同一径の巻回ドラム２を設け上記と同様に２本の紐状体７で１つの連結具１５を移動すべくそれぞれの対の巻回ドラム２に取り付け、それぞれ別方向に位置する連結具１５を２本の紐状体７で移動すべく構成することも可能である。【００５７】次に、本発明における他の実施例について説明する。【００５８】本実施例のウインチ１は、ウインチ本体１Ａに回転駆動（手動電動又はアシスト電源で回転駆動する構成等その駆動手段は目的に応じて自在に選択することができる）する駆動軸１２（１２Ａ、１２Ｂ）を２本設け、各駆動軸１２（１２Ａ、１２Ｂ）に外周側面に断面略Ｖ字状の溝２Ａが形成された略円形状の巻回ドラム２を取り付けて構成する。【００５９】本発明のウインチ１も上記の実施例の場合と同様にウインチ本体１Ａ部分についての特徴を明記したもので、駆動源については、通常使用されている各種の駆動源を使用する。【００６０】次に、上記構成のウインチ１を使用する場合について説明する。【００６１】先ずウインチ１の駆動軸１２（１２Ａ、１２Ｂ）を同時に回転駆動して、各駆動軸１２（１２Ａ、１２Ｂ）に設けられた巻回ドラム２（同一径）にそれぞれ同一方向より案内ローラ３を介して取り入れられ、同一方向に取り出される紐状体７（ワイヤロープ／通常の強化ロープ／外周にビニールの設けられた線状体等）をそれぞれ巻回して移動する。この際、駆動軸１２毎に巻回ドラム２を回転して紐状体７を移動することができるために、特に紐状体７の取り入れ及び取り出し方向が相違する場合に用いることで利用範囲を拡大し、且つその利用方法が容易に行うことができる。【００６２】尚、上記実施例では、巻回ドラム２の径を同一としたが、相違する径の巻回ドラム２を設けることで、上記第１の実施例の場合と同様に紐状体７の移動距離を相違して移動することも可能である。【００６３】又、上記実施例では、各巻回ドラム２にそれぞれ別の紐状体７を巻回して移動したが、１本の紐状体７を各巻回ドラム２に連続して巻回することで巻回ドラム２が１つの場合に比し、さらに強い力で巻回して移動することも可能である。この場合、２個の巻回ドラム２により紐状体７の取り入れ方法及び取り出し方向を自在に調整することができる。【００６４】又、上記実施例では、駆動軸１２を２本で説明したが、本発明において駆動軸１２の数は２本に限定されるものでなく、３本、４本でもよい。要は２本以上設けられていればその本数は問うものでない。例えば、３本の駆動軸１２のうち真ん中の１本の駆動軸１２にはテンション手段１０を設けることで１本の紐状体７を各巻回ドラム２に連続して巻回した場合に、紐状体７の巻回ドラム２間での弛み／撓みが発生しても上記テンション手段１０により紐状体７の弛み／撓みを解消しながら移動することが可能となる。【００６５】更に、上記実施例では、紐状体７は巻回ドラム２の外周の一周の溝２Ａに沿って一方より他方へ移動したが、２周又は３周に形成することで紐状体７の取り出し方向と取り込み方向を自在に設定して移動することも可能である。【００６６】又、上記実施例においても、実施例１の場合と同様に、紐状体７のウインチ１への取り入れ側及び取り出し側に移動補助体６を設けることで、また巻回ドラム２の外周に押圧移動体８を設けることで、紐状体７の弛み／撓みについても対応することができ、巻回ドラム２の回転を確実に紐状体７に伝えるように構成することも可能である。更に、移動補助体６を一点で揺動する板体６Ａを一対設け紐状体７を押圧するように構成することも可能である。【００６７】また、上記各実施例を１つにまとめ、ウインチ本体１Ａに複数の駆動軸１２（１２Ａ、１２Ｂ）を設けとともに、各駆動軸１２（１２Ａ、１２Ｂ）に複数の巻回ドラム２（２Ｋ、２Ｍ）を設けることで、上記の作用を組み合わせた作用及び効果を得ることも可能である。【００６８】また、上記各実施例で使用した移動補助体６の、具体的な一実施例として、巻回ドラム２の外周の一部に１つの支点６Ａで揺動する補助体６を設け紐状体７のウインチ１への取り入れ側を押圧し、取り出し側をフリーにすることも可能である。この場合において、補助体６の巻回ドラム２の溝２Ａ側にローラー６Ｂを複数個設けることで、紐状体７の取り入れ側の押圧を調整することも可能である。【００６９】また、本発明のウインチ１を用いた他の実施例として、ネット体２１の上部両端よりそれぞれ従来のウインチ４０より引き出された紐状体７をネット体２１の上部中央部分で回動自在に連結し、上部中央部又はその中央部より等距離離れた近傍の２箇所にウインチ１より引き出された２本の紐状体７を連結することでネット体２１の上部側を２点又は３点で支持する。この際ウインチ１の巻回ドラム２は同一の径の巻回ドラム２（２Ｋ、２Ｍ）を駆動軸１２上に設け、該巻回ドラム２の近傍には、同軸上に２個の巻き取りリール３０（３０Ｋ、３０Ｍ）を設けることで、それぞれの２本の紐状体７の巻き取り／引き出し移動することができるように構成する。【００７０】次に、ネット体２１の吊り張り及び収納をフローチャートを参考に説明する。先ず、各ウインチの駆動を調整し、両ウインチ４０を駆動して紐状体７の巻き取り移動することで、ネット体２１を水平状態で上方に持ち上げて一端両ウインチ４０の駆動を停止する。その後、ウインチ１を駆動して、紐状体７の巻き取り移動しネット体２１を後方に引っ張って円弧状にし、再度両ウインチ４０駆動して僅かに紐状体７を引っ張ることでスムーズに高さ調整したネット体２１を吊り張りすることができる。収納する場合は、逆にウインチ１を駆動して、紐状体７の引き出し移動しネット体２１を前方に取り出して、ネット体２１を水平状態に位置しその後、両ウインチ４０を駆動して、紐状体７の引き出し移動することで、ネット体２１を下方に引き下ろし、紐状体７を取り外すことでネット体２１を収納する。【００７１】このネット体２１の利用としては、例えば屋内空間部で、野球用のバックネットとして使用する場合がある。この場合、観客席に固定状態で取り付けられた防球用網部分の上端部と、ネット体２１の下端部を固定具（ワイヤー、紐体等）で連結することで簡易にバックネットを構成することができる。【００７２】また、他の実施例としては、上記の駆動軸１２に径の相違する３個の巻回ドラム２（２Ｐ、２Ｑ、２Ｒ）を設け各巻回ドラム２（２Ｐ、２Ｑ、２Ｒ）にそれぞれ別の紐状体７を巻回する場合において、それそれ別体の巻き取りリール３０（３０ａ、３０ｂ、３０ｃ）を設け、巻回ドラム２で紐状体７を巻き取りし、該巻き取った紐状体７を同期して回動駆動する巻き取りリール３０で巻き取ることで、紐状体７をエンドレス状に吊り張りする以外の方法としても利用することができ、本発明のウインチ１の利用範囲をさらに広げることができる。【００７３】また、本発明のウインチ１を利用しての水平方向にネット体２１を移動する方法について、フローチャートを参考に説明する。先ず、水平方向に滑車を介して複数の方向にそれぞれの紐状体７を巻回ドラム２（２Ｋ、２Ｍ）とエンドレス状に吊り張りする。この状態で各紐状体７の移動にともなうネット体２１の移動が同期するようにウインチを調整する。次に、ネット体２１で間仕切りを行う場合は、巻回ドラム２を駆動して紐状体７に沿ってネット体２１を水平移動して間仕切りする。間仕切り状態を維持する場合は、この状態を維持し、他のスポーツ等で間仕切り解除する場合は、再度巻回ドラム２を上記と逆方向に駆動して紐状体７に沿ってネット体２１を逆方向水平移動して収納する。【００７４】このように、１台のウインチ１で同時に複数の紐状体７を移動できるので最初の設定／調整が容易であり、設置時の作業時間を格段に減縮することができる。【００７５】また、ウインチ１の構成が簡易であり、コストの面でも従来のウインチを複数設置する場合に比し、格段に低減することができる。【００７６】また、２本以上の紐状体７を同時に利用しての作業が可能であるために、１本が損傷しても他の１本で支持できるために安全性の面においても従来にない格別の効果を得た。【００７７】さらに、巻回ドラム２の外周の溝に沿って押圧移動体８を設けることで、テンションの状態に係わらず紐状体７を確実に移動することができ、さらに移動補助体６を設けることで、さらに簡易な構成で紐状体７を押圧して移動することができ、巻回ドラム２の回転駆動を確実に紐状体７に伝動でき、動力の無駄を極力省くことができる。【００７８】尚、上記各実施例で使用された駆動軸１２は１本の固体で形成したが、例えば中心軸のみが駆動源に連結しその外周に巻回ドラム２毎に取り付け軸を介して中心軸に取り付け、切り換え手段（電磁力、ギアーの組合せ等）を介してそれぞれ別体に中心軸と回転可能に構成することで、必要とする巻回ドラム２のみを回転駆動するように構成することも可能である。【００７９】又、上記各実施例では、主として屋内のネット体の移動用としてウインチ１を使用したが、本発明のウインチ１及び該ウインチを用いた移動システムはこれに限定されるものでなく、例えば、屋内の緞帳用として、又は屋外の防球用ネット用としても使用可能であり、また、工事用リフト、作業用の吊りワイヤートしても使用可能である。【００８０】尚、上記実施例では、巻回ドラム２の溝２Ａについては特に明記していないが、径が相違する紐状体７に取り替える場合であっても、溝２Ａの拡大した巻回ドラム２を取り替えるだけで対応することができる。【００８１】又、巻回ドラム２を軸芯方向又は軸芯に水平に２分割するように構成することで、駆動軸１２より容易に巻回ドラム２を着脱することができる。
【図面の簡単な説明】
【００８２】
【図１】本発明の基本となるウインチで駆動軸に２個の同一径の巻回ドラムが設けられ、同一方向にワイヤロープ等の紐状体を移動する場合を示す概略説明図
【図２】図１のウインチに押圧移動体を設けられた場合の概略正面図
【図３】駆動軸に２個の同一径の巻回ドラムが設けられ、逆方向にワイヤロープ等の紐状体を移動する場合を示す概略説明図
【図４】ウインチで駆動軸に３個の径の相違する巻回ドラムが設けられた場合を示す概略説明図
【図５】図４の各巻回ドラムにそれぞれ相違する方向にワイヤロープ等の紐状体を移動する場合を示す概略説明図
【図６】ウインチ本体に駆動軸が２本設けられ、径の同一の巻回ドラムが設けられ、それぞれの巻回ドラムでワイヤロープ等の紐状体を移動する場合を示す概略説明図
【図７】ウインチ本体に駆動軸が２本設けられ、径の相違する巻回ドラムが設けられ、それぞれの巻回ドラムでワイヤロープ等の紐状体を移動する場合を示す概略説明図
【図８】ウインチ本体に駆動軸が２本設けられ、径の同一の巻回ドラムに１本のワイヤロープ等の紐状体を巻回移動する場合を示す概略説明図
【図９】ウインチ本体に駆動軸が３本設けられ、径の同一の巻回ドラムで１本のワイヤロープ等の紐状体を移動する場合を示す概略説明図
【図１０】ウインチ本体に駆動軸が２本設けられ、筒状で径の同一の巻回ドラムを取り付け、取り入れと取り出し方向の相違する１本のワイヤロープ等の紐状体を移動する場合を示す概略説明図
【図１１】巻回ドラムの外周に他の移動補助体が設けられた場合を示す概略説明図
【図１２】図１１の移動補助体の他実施例を示す概略説明図
【図１３】図１１の移動補助体の他実施例を示す概略説明図
【図１４】駆動軸に一対の径の同一な巻回ドラムが設けられた場合を示す概略側面説明図
【図１５】図１４の概略正面説明図
【図１６】駆動軸に２対の径の同一の巻回ドラムが設けられた場合を示す概略側面説明図
【図１７】図１６の概略正面説明図
【図１８】駆動軸に２個のキャプスタン式のドラムが設けられた場合を示す概略側面説明図
【図１９】回転体に設けられたウインチ本体を示す概略平面説明図
【図２０】ワイヤロープ等の紐状体を同一方向に移動するウインチを用いた移動システムを示す概略説明図
【図２１】ワイヤロープ等の紐状体を別方向に移動するウインチを用いた移動システムを示す概略説明図
【図２２】１本のワイヤロープ等の紐状体を複数ウインチで移動するウインチを用いた移動システムを示す概略説明図
【図２３】他のウインチと本発明のウインチとの組合せた移動システムを示す概略説明図
【図２４】巻き取りリールを利用した場合のウインチの使用方法を示す概略説明図
【図２５】ウインチを用い移動システムを示すフローチャート
【図２６】ウインチを用い移動システムを示すフローチャート
【符号の説明】
【００８３】１…ウインチ、２…巻回ドラム、２Ａ…溝、３…案内ガイド、６…移動補助体、７…紐状体、８…押圧移動体、１２…駆動軸、
【図１】
2008280176.tif 000003
【図２】
2008280176.tif 000004
【図３】
2008280176.tif 000005
【図４】
2008280176.tif 000006
【図５】
2008280176.tif 000007
【図６】
2008280176.tif 000008
【図７】
2008280176.tif 000009
【図８】
2008280176.tif 000010
【図９】
2008280176.tif 000011
【図１０】
2008280176.tif 000012
【図１１】
2008280176.tif 000013
【図１２】
2008280176.tif 000014
【図１３】
2008280176.tif 000015
【図１４】
2008280176.tif 000016
【図１５】
2008280176.tif 000017
【図１６】
2008280176.tif 000018
【図１７】
2008280176.tif 000019
【図１８】
2008280176.tif 000020
【図１９】
2008280176.tif 000021
【図２０】
2008280176.tif 000022
【図２１】
2008280176.tif 000023
【図２２】
2008280176.tif 000024
【図２３】
2008280176.tif 000025
【図２４】
2008280176.tif 000026
【図２５】
2008280176.tif 000027
【図２６】
2008280176.tif 000028
【手続補正書】
【提出日】平成19年12月6日(2007.12.6)
【手続補正１】
【補正対象書類名】特許請求の範囲
【補正対象項目名】全文
【補正方法】変更
【補正の内容】
【特許請求の範囲】
【請求項１】
ワイヤロープ等の紐状体を外周に形成された溝に巻回するための巻回ドラムと、巻回ドラムを正／逆回転駆動するための駆動軸とから構成され、巻回ドラムを回転駆動することでワイヤロープ等の紐状体を一方より取り込み移動するととともに他方より取り出し移動する無端状のウインチにおいて、駆動軸には、少なくとも２以上の巻回ドラムが設けられ、且つ各巻回ドラムの径がそれぞれ同一又は相違し、しかも各巻回ドラム側にはそれぞれワイヤロープ等の紐状体を取り入れ及び取り出し移動するための案内ガイドと案内ローラ又は移動補助体が設けられていることを特徴とするウインチ。
【請求項２】
ワイヤロープ等の紐状体を外周に形成された溝に巻回するための巻回ドラムと、巻回ドラムを正／逆回転駆動するための駆動軸とから構成され、巻回ドラムを回転駆動することでワイヤロープ等の紐状体を一方より取り込み移動するととともに他方より取り出し移動する無端状のウインチにおいて、駆動軸がウインチ本体に少なくとも２以上設けられ、且つ各駆動軸に設けられた巻回ドラム側にはワイヤロープ等の紐状体を取り入れ及び取り出し移動するための案内ガイドと案内ローラ又は移動補助体が設けられていることを特徴とするウインチ。
【請求項３】
駆動軸を用いて巻回ドラムを正／逆回転駆動することでワイヤロープ等の紐状体を一方より巻回ドラム側に取り込み移動するとともに、他方より取り出し移動する無端状のウインチを用いた移動システムにおいて、駆動軸に設けられた同一又は相違する径の少なくとも２以上の巻回ドラムをそれぞれ同時に回転駆動し、それぞれ案内ガイドと案内ローラ又は移動補助体でワイヤロープ等の紐状体を取り入れ及び取り出し移動し、制御した複数のワイヤロープ等の紐状体を同時に同方向又は相違する方向に移動して、ネット等の吊張体を左右／昇降移動することを特徴とするウインチを用いた移動システム。
【手続補正２】
【補正対象書類名】明細書
【補正対象項目名】００１１
【補正方法】変更
【補正の内容】
【００１１】本発明は上記課題を解決するためのウインチの第１の手段は、ワイヤロープ等の紐状体を外周に形成された溝に巻回するための巻回ドラムと、巻回ドラムを正／逆回転駆動するための駆動軸とから構成され、巻回ドラムを回転駆動することでワイヤロープ等の紐状体を一方より取り込み移動するととともに他方より取り出し移動する無端状のウインチにおいて、駆動軸には、少なくとも２以上の巻回ドラムが設けられ、且つ各巻回ドラムの径がそれぞれ同一又は相違し、しかも各巻回ドラム側にはそれぞれワイヤロープ等の紐状体を取り入れ及び取り出し移動するための案内ガイドと案内ローラ又は移動補助体が設けられていることを特徴とする。
【手続補正３】
【補正対象書類名】明細書
【補正対象項目名】００１２
【補正方法】変更
【補正の内容】
【００１２】また、本発明のウインチの第２の手段は、ワイヤロープ等の紐状体を外周に形成された溝に巻回するための巻回ドラムと、巻回ドラムを正／逆回転駆動するための駆動軸とから構成され、巻回ドラムを回転駆動することでワイヤロープ等の紐状体を一方より取り込み移動するととともに他方より取り出し移動する無端状のウインチにおいて、駆動軸がウインチ本体に少なくとも２以上設けられ、且つ各駆動軸に設けられた巻回ドラム側にはワイヤロープ等の紐状体を取り入れ及び取り出し移動するための案内ガイドと案内ローラ又は移動補助体が設けられていることを特徴とする。
【手続補正４】
【補正対象書類名】明細書
【補正対象項目名】００１３
【補正方法】変更
【補正の内容】
【００１３】本発明は上記課題を解決するためのウインチを用いた移動システムは、駆動軸を用いて巻回ドラムを正／逆回転駆動することでワイヤロープ等の紐状体を一方より巻回ドラム側に取り込み移動するとともに、他方より取り出し移動する無端状のウインチを用いた移動システムにおいて、駆動軸に設けられた同一又は相違する径の少なくとも２以上の巻回ドラムをそれぞれ同時に回転駆動し、それぞれ案内ガイドと案内ローラ又は移動補助体でワイヤロープ等の紐状体を取り入れ及び取り出し移動し、制御した複数のワイヤロープ等の紐状体を同時に同方向又は相違する方向に移動して、ネット等の吊張体を左右／昇降移動することを特徴とする。
【手続補正５】
【補正対象書類名】明細書
【補正対象項目名】００１４
【補正方法】変更
【補正の内容】
【００１４】本発明の第１の手段によるウインチは、先ず、各ワイヤロープ等の紐状体をそれぞれ案内ガイドと案内ローラ又は移動補助体とによって巻回ドラムに接する位置に移動し、駆動源により駆動軸を回転駆動することで少なくとも２以上の巻回ドラムを回転して、巻回ドラムの一方より外周に形成された溝に沿ってワイヤロープ等の紐状体を巻回し、巻回ドラムの他方より取り出しすることでワイヤロープ等の紐状体を無端状に移動する。
【手続補正６】
【補正対象書類名】明細書
【補正対象項目名】００１５
【補正方法】変更
【補正の内容】
【００１５】そして、ウインチの１つの駆動軸を回転駆動することで各巻回ドラムが上記のように回転駆動し、それぞれの巻回ドラムに設けられたワイヤロープ等の紐状体を同時に案内ガイドと案内ローラ又は移動補助体とにより一方側より他方側に紐状体の弛みや撓みを解消して移動することができる。
【手続補正７】
【補正対象書類名】明細書
【補正対象項目名】００１９
【補正方法】変更
【補正の内容】
【００１９】また、本発明の第２の手段によるウインチは、ウインチ本体に複数の駆動軸を設け、各駆動軸にそれぞれ巻回ドラムを取り付けることで、巻回ドラム側に設けられた案内ガイドと案内ローラ又は移動補助体とによりワイヤロープ等の紐状体をそれぞれの巻回ドラム側に取り入れ巻回ドラムに巻回し、巻回ドラム側より取り出し移動した後、各駆動軸を駆動することで１台のウインチで複数の巻回ドラムをそれぞれ回転して、各ワイヤロープ等の紐状体の弛みや撓みを解消して移動するができる。
【手続補正８】
【補正対象書類名】明細書
【補正対象項目名】００２７
【補正方法】変更
【補正の内容】
【００２７】また、駆動軸に設けられた同一又は相違する径の少なくとも２以上の巻回ドラムをそれぞれ同時に回転駆動することにより制御した複数のワイヤロープ等の紐状体を同時に同方向又は相違する方向に移動して、ネット等の吊張体を左右／昇降移動することを特徴とする。
【手続補正書】
【提出日】平成20年3月4日(2008.3.4)
【手続補正１】
【補正対象書類名】特許請求の範囲
【補正対象項目名】全文
【補正方法】変更
【補正の内容】
【特許請求の範囲】
【請求項１】
ワイヤロープ等の紐状体を外周に形成された溝に巻回し、その径が同一又は相違する巻回ドラムを少なくとも２以上設け、各巻回ドラムを正／逆回転駆動するための駆動軸から構成され、各巻回ドラムを回転駆動することで複数のワイヤロープ等の紐状体を一方より取り込み移動するととともに他方より取り出し移動する無端状のウインチにおいて、各巻回ドラム側には、それぞれワイヤロープ等の紐状体を取り入れ及び取り出し移動するための案内ガイドと案内ローラ及びワイヤロープ等の紐状体の取り入れ側を巻回ドラム側に近接する方向に移動して押圧し、ワイヤロープ等の紐状体の取り出し側を巻回ドラム側より離反する方向に移動して押圧を解除するための移動補助体が設けられていることを特徴とするウインチ。
【請求項２】
ワイヤロープ等の紐状体を外周に形成された溝に巻回するための巻回ドラムを正／逆回転駆動するための駆動軸を少なくとも２以上設け、各巻回ドラムを回転駆動することで複数のワイヤロープ等の紐状体を一方より取り込み移動するととともに他方より取り出し移動する無端状のウインチにおいて、各駆動軸に設けられた巻回ドラム側にはワイヤロープ等の紐状体を取り入れ及び取り出し移動するための案内ガイドと案内ローラ及びワイヤロープ等の紐状体の取り入れ側を巻回ドラム側へ移動して押圧し、ワイヤロープ等の紐状体の取り出し側を巻回ドラム側より離反する方向に移動して押圧を解除するための移動補助体が設けられていることを特徴とするウインチ。
【請求項３】
駆動軸を用いて該駆動軸に設けられた同一又は相違する径の少なくとも２以上の巻回ドラムをそれぞれ同時に正／逆回転駆動することでワイヤロープ等の紐状体を一方より巻回ドラム側に取り込み移動するとともに、他方より取り出し移動してワイヤロープ等の紐状体に設けられたネット等の吊張体を左右／昇降移動する無端状のウインチを用いたネット等の吊張体の移動システムにおいて、それぞれのワイヤロープ等の紐状体を案内ガイドと案内ローラで取り入れ及び取り出しするとともに、移動補助体でワイヤロープ等の紐状体の取り入れ側を巻回ドラム側へ押圧し、ワイヤロープ等の紐状体の取り出し側を巻回ドラム側より離反する方向に移動して押圧を解除して取り出し移動し、制御した複数のワイヤロープ等の紐状体を同時に同方向又は相違する方向に移動することを特徴とするウインチを用いた移動システム。
【手続補正２】
【補正対象書類名】明細書
【補正対象項目名】００１１
【補正方法】変更
【補正の内容】
【００１１】本発明は上記課題を解決するためのウインチの第１の手段は、ワイヤロープ等の紐状体を外周に形成された溝に巻回し、その径が同一又は相違する巻回ドラムを少なくとも２以上設け、各巻回ドラムを正／逆回転駆動するための駆動軸から構成され、各巻回ドラムを回転駆動することで複数のワイヤロープ等の紐状体を一方より取り込み移動するととともに他方より取り出し移動する無端状のウインチにおいて、各巻回ドラム側にはそれぞれワイヤロープ等の紐状体を取り入れ及び取り出し移動するための案内ガイドと案内ローラ及びワイヤロープ等の紐状体の取り入れ側を巻回ドラム側に近接する方向に移動して押圧し、ワイヤロープ等の紐状体の取り出し側を巻回ドラム側より離反する方向に移動して押圧を解除するための移動補助体が設けられていることを特徴とする。
【手続補正３】
【補正対象書類名】明細書
【補正対象項目名】００１２
【補正方法】変更
【補正の内容】
【００１２】また、本発明のウインチの第２の手段は、ワイヤロープ等の紐状体を外周に形成された溝に巻回するための巻回ドラムを正／逆回転駆動するための駆動軸を少なくとも２以上設け、各巻回ドラムを回転駆動することで複数のワイヤロープ等の紐状体を一方より取り込み移動するととともに他方より取り出し移動する無端状のウインチにおいて、各駆動軸に設けられた巻回ドラム側にはワイヤロープ等の紐状体を取り入れ及び取り出し移動するための案内ガイドと案内ローラ及びワイヤロープ等の紐状体の取り入れ側を巻回ドラム側へ移動して押圧しワイヤロープ等の紐状体の取り出し側を巻回ドラム側より離反する方向に移動して押圧を解除するための移動補助体が設けられていることを特徴とする。
【手続補正４】
【補正対象書類名】明細書
【補正対象項目名】００１３
【補正方法】変更
【補正の内容】
【００１３】本発明は上記課題を解決するためのウインチを用いたネット等の吊張体の移動システムは、駆動軸を用いて該駆動軸に設けられた同一又は相違する径の少なくとも２以上の巻回ドラムをそれぞれ同時に正／逆回転駆動することでワイヤロープ等の紐状体を一方より巻回ドラム側に取り込み移動するとともに、他方より取り出し移動してワイヤロープ等の紐状体に設けられたネット等の吊張体を左右／昇降移動する無端状のウインチを用いたネット等の吊張体の移動システムにおいて、それぞれのワイヤロープ等の紐状体を案内ガイドと案内ローラで取り入れ及び取り出しするとともに、移動補助体でワイヤロープ等の紐状体の取り入れ側を巻回ドラム側へ押圧し、ワイヤロープ等の紐状体の取り出し側を巻回ドラム側より離反する方向に移動して押圧を解除して取り出し移動し、制御した複数のワイヤロープ等の紐状体を同時に同方向又は相違する方向に移動することを特徴とする。
【手続補正５】
【補正対象書類名】明細書
【補正対象項目名】００１４
【補正方法】変更
【補正の内容】
【００１４】本発明の第１の手段によるウインチは、先ず、各ワイヤロープ等の紐状体をそれぞれ案内ガイドと案内ローラ及びワイヤロープ等の紐状体の取り入れ側を巻回ドラム側へ移動して押圧し、ワイヤロープ等の紐状体の取り出し側を巻回ドラム側より離反する方向に移動して押圧を解除する移動補助体とによって巻回ドラムに接する位置に移動し、駆動源により駆動軸を回転駆動することで少なくとも２以上の巻回ドラムを回転して、巻回ドラムの一方より外周に形成された溝に沿ってワイヤロープ等の紐状体を巻回し、巻回ドラムの他方より取り出しすることでワイヤロープ等の紐状体を無端状に移動する。
【手続補正６】
【補正対象書類名】明細書
【補正対象項目名】００１５
【補正方法】変更
【補正の内容】
【００１５】そして、ウインチの１つの駆動軸を回転駆動することで各巻回ドラムが上記のように回転駆動し、それぞれの巻回ドラムに設けられたワイヤロープ等の紐状体を同時に案内ガイドと案内ローラ及び移動補助体とにより一方側より他方側に紐状体の弛みや撓みを解消して移動することができる。
【手続補正７】
【補正対象書類名】明細書
【補正対象項目名】００１９
【補正方法】変更
【補正の内容】
【００１９】また、本発明の第２の手段によるウインチは、ウインチ本体に複数の駆動軸を設け、各駆動軸にそれぞれ巻回ドラムを取り付けることで、巻回ドラム側に設けられた案内ガイドと案内ローラ及び移動補助体とによりワイヤロープ等の紐状体をそれぞれの巻回ドラム側に取り入れ巻回ドラムに巻回し、巻回ドラム側より取り出し移動した後、各駆動軸を駆動することで１台のウインチで複数の巻回ドラムをそれぞれ回転して、各ワイヤロープ等の紐状体の弛みや撓みを解消して移動するができる。